(57)【要約】【課題】持ち手として利用できる程に丈夫でありながら、製造工程を簡略化して効率良く製造できる遊技機用のキーを実現する。【解決手段】遊技機用のキー（１０）は、キー挿入部（１１ｃ）を有するキー本体（１１）と、キー本体（１１）の基部（１１ａ）に取り付けられる成形品からなるキーヘッド部（１２）とを有する。基部（１１ａ）におけるキーヘッド部（１２）に内包される部分に、キー（１０）の幅方向に突出するように、掛止ピン（１６）が圧入されている。キー本体（１１）とキーヘッド部（１２）とは、当該キー（１０）の厚さ方向を軸方向とする固定ピン（１４，１５）にて連結固定され、かつ、連結固定された状態で、掛止ピン（１６）の突出部分のキー挿入部（１１ｃ）側が、キーヘッド部（１２）の内部の中実構造の壁部（１２ｂ）に突き当たっている。【選択図】図３
2018175479.tif 000002
【特許請求の範囲】
【請求項１】
遊技機の開閉部を施錠開錠し、かつ、前記開閉部を開閉する際の持ち手となる遊技機用のキーであって、
基部と鍵穴に挿入されるキー挿入部とを有するキー本体と、
前記キー本体の基部に取り付けられる成形品からなるキーヘッド部と、を有し、
前記基部における前記キーヘッド部に内包される部分に、当該キーの幅方向に突出する突出部が設けられ、
前記キー本体とキーヘッド部とは、当該キーの厚さ方向を軸方向とする固定ピンにて連結固定され、かつ、連結固定された状態で、前記突出部の前記キー挿入部側が、前記キーヘッド部の内部の中実構造の壁部に突き当たっていることを特徴とする遊技機用のキー。
【請求項２】
前記突出部は、さらに、当該キーの厚さ方向の両側においても前記キーヘッド部の内部の中実構造の壁部に突き当たっていることを特徴とする請求項１に記載の遊技機用のキー。
【請求項３】
前記キー挿入部に凸状の挿入ガイドを有し、前記基部においても該凸状の挿入ガイドの形成部位に相当する厚みを有することを特徴とする請求項１又は２に記載の遊技機用のキー。
【請求項４】
前記固定ピンは、複数あることを特徴とする請求項１から３の何れか１項に記載の遊技機用のキー。
【請求項５】
前記固定ピンは、当該キーの回転操作の回転中心軸上に配置されていることを特徴とする請求項１から４の何れか１項に記載の遊技機用のキー。
【請求項６】
前記突出部は、前記キー本体の基部に、当該キーの幅方向を軸方向として挿通された別部材であることを特徴とする請求項１から５の何れか１項に記載の遊技機用のキー。
【請求項７】
前記キーヘッド部は、前記キー本体の前記回転中心軸の方向に部分的に貫通する穴を有し、該穴は、前記キー挿入部が突設する側とは反対側に位置する第１穴部と、前記キー挿入部が突設する側に位置する第２穴部とからなり、前記第１穴部は、前記突出部が設けられた状態の前記キー本体を前記回転中心軸の方向より見た形状に相当する断面形状を有し、前記第２穴部は、前記突出部が設けられていない状態の前記キー本体を前記回転中心軸の方向より見た形状に相当する断面形状を有することを特徴とする請求項１から６の何れか１項に記載の遊技機用のキー。
【請求項８】
前記キー本体は、断面形状が十字状で、凸状部分が前記挿入ガイドとなる引き抜き材より作製されていることを特徴とする請求項３に記載の遊技機用のキー。
【発明の詳細な説明】
【技術分野】
【０００１】
本発明は、遊技機の開閉部を施錠開錠し、かつ、前記開閉部を開閉する際の持ち手となる遊技機用のキーに関するものである。
【背景技術】
【０００２】
パチンコ台やパチスロ台等の遊技機には、キーコードを任意に設定できる可変錠が多く用いられている。可変錠のキーコードは、ホール毎に固有のものが割り当てられており、ホール側は、ホール固有のキーコードのキーにて、ホールに設置されている多種多様な遊技機の施錠開錠を行う。
【０００３】
例えば、特許文献１に、遊技機の開閉部を施錠開錠するキーが記載されている。このような遊技機用のキーとしては、キー本体を金属より構成し、把持部となるキーヘッドをインサート成形で加工した構成が一般的であり、極めて丈夫に作られている。これは、遊技機用のキーは、錠の施錠開錠といった本来の機能以外に、遊技機の扉や遊技盤等の開閉部を開閉する際の持ち手としの機能が求められるためである。
【０００４】
図６は、遊技機の開閉部を開閉する際にキーにかかる負荷を説明する図である。図６に示すように、開閉部５０を開放する際には、矢印αに示すようにキー５１を左右いずれかの方向に回し、その後、矢印βに示すようにキー５１を持ち手として手前に引く。このとき、キー５１には、矢印αの操作によるねじり応力、および矢印βの操作による引張応力がかかる。開閉部５０を閉める際には、自重で下がった開閉部５０を、矢印γで示すようにキー５１を持ち手として持ち上げて枠部（図示しない）に押し込む。このとき、回転されて横になった状態のキー５１に対し、矢印γの操作による曲げ応力がかかる。
【０００５】
このように、遊技機用のキー５１には、ねじり応力、引張応力および曲げ応力の３つの応力がかかり、これらの負荷に耐え得る強靭さが要求される。
【０００６】
一方、特許文献２には、キーヘッドをキー本体から取り外すことができるキーが記載されている。図７は、特許文献２に記載されたキーを示す図である。図７に示すように、半円形の部分１１２が設けられている２つの突起１１１が、キー本体に相当するシャフト１１０の端部に設けられている。ヘッド１０１の本体部１０２の溝１０５に、シャフト１１０における２つの突起１１１側が挿入され、本体部１０２の中央部には孔１０４が形成されている。本体部１０２に挿入されたシャフト１１０の半円形の部分１１２と孔１０４との位置を合わせた状態で、止め手段１０６が導入され、シャフト１１０とヘッド１０１とが固定される。
【先行技術文献】
【特許文献】
【０００７】
【特許文献１】特開２００５−１４４０７１号公報
【特許文献２】特表２００５−５３００７０号公報
【発明の概要】
【発明が解決しようとする課題】
【０００８】
しかしながら、上述した従来技術では、遊技機用のキーを効率よく製造することができないという問題がある。これについて説明する。
【０００９】
遊技機用のキーのキーコードは、各ホールに固有のものが割り当てられている。そのため、キーの注文はホール毎となり、１ホール当たりの注文量は少量である。キーヘッドをインサート成形にて作る場合、キー本体にキーコードを加工した後、インサート成形する必要があり、注文を受ける都度小ロットの成形を行っている。しかしながら、インサート成形にて設計通りのキーヘッドを作るには、試打ち等を行って成形機の条件を決める準備行程が必須である。小ロットの成形の都度このような準備工程を行うことは、製造工程を極めて非効率としている。
【００１０】
なお、特許文献２に記載されている構成を採用することで、小ロットの成形は回避できる。しかしながら、特許文献２に記載の構成では、図７に示すように、止め手段１０６と係合してヘッド１０１とシャフト１１０とを連結している２つの突起１１１の間は開放されている。このような構成では、遊技機の開閉部５０（図６参照）を開く際の引張応力による負荷に耐えることはできず、ヘッド１０１がシャフト１１０から抜ける恐れがある。
【００１１】
本発明の一態様は、持ち手として利用できる程に丈夫でありながら、製造工程を簡略化して効率良く製造できる遊技機用のキーを実現することを目的とする。
【課題を解決するための手段】
【００１２】
上記の課題を解決するために、本発明の一態様に係る遊技機用のキーは、遊技機の開閉部を施錠開錠し、かつ、前記開閉部を開閉する際の持ち手となる遊技機用のキーであって、基部と該鍵穴に挿入されるキー挿入部とを有するキー本体と、前記キー本体の基部に取り付けられる成形品からなるキーヘッド部と、を有し、前記基部における前記キーヘッド部に内包される部分に、当該キーの幅方向に突出する突出部が設けられ、前記キー本体とキーヘッド部とは、当該キーの厚さ方向を軸方向とする固定ピンにて連結固定され、かつ、連結固定された状態で、前記突出部の前記キー挿入部側が、前記キーヘッド部の内部の中実構造の壁部に突き当たっていることを特徴とする。
【００１３】
上記構成によれば、成形品からなるキーヘッド部をキー本体とは別に形成して組み立てることができるので、キーヘッド部を一定量まとめて生産することが可能となる。これにより、小ロット毎に行っていた成形機の準備工程が不要となり、製造工程を簡略化して、効率よく製造することができる。
【００１４】
また、組み立て式としても、キー本体とキーヘッド部とを、キーの厚さ方向を軸方向とする固定ピンで連結固定すると共に、キー本体の基部に突出部を設け、該突出部のキー挿入部側をキーヘッド部の内部の中実構造の壁部に突き当てている。このような構成とすることで、固定ピンに加えて、突出部が突き当たる壁部が引張応力による負荷を受けて耐える部分として働き、引張応力による負荷に強い構成となる。これにより、持ち手として利用される遊技機用のキーとして利用する丈夫さを確保できる。
【００１５】
本発明の一態様に係る遊技機用のキーは、前記突出部は、さらに、当該キーの厚さ方向の両側においても前記キーヘッド部の内部の中実構造の壁部に突き当たっている構成とすることもできる。
【００１６】
上記構成によれば、突出部が、キーの厚さ方向の両側においても中実構造の壁部に突き当たっているので、キーの厚さ方向の両側にある壁部がねじり応力による負荷を受けて耐える部分として働き、ねじり応力による負荷にも強い構成とできる。
【００１７】
本発明の一態様に係る遊技機用のキーは、さらに、前記キー挿入部に凸状の挿入ガイドを有し、前記基部においても該凸状の挿入ガイドの形成部位に相当する厚みを有する構成とすることもできる。
【００１８】
上記構成によれば、凸状の挿入ガイドが設けられているので、キー挿入部の短手方向（回転中心軸と直交する方向）の断面積が、溝状の挿入ガイドが設けられているキー（図７参照）に比べて大きくなり、曲げ応力による負荷に強い構成とできる。また、基部においても該凸状の挿入ガイドの形成部位に相当する厚みを有しているので、ねじり応力、引張応力および曲げ応力の負荷に対する耐性を上げることができる。
【００１９】
本発明の一態様に係る遊技機用のキーは、さらに、前記固定ピンは、複数ある構成とすることもできる。
【００２０】
上記構成によれば、固定ピンが複数あることで、キー本体とキーヘッド部との連結固定が堅固になることに加えて、キー本体とキーヘッド部とが固定ピンを中心として相互に動かなくなり、がたつきの無い構成とすることができる。
【００２１】
本発明の一態様に係る遊技機用のキーは、さらに、前記固定ピンは、当該キーの回転操作の回転中心軸上に配置されている構成とすることもできる。
【００２２】
上記構成によれば、固定ピンがキーの回転操作の回転中心軸上に配置されているので、キーの回転操作の際に受ける負荷を、固定ピンが回転中心軸から離れて配置されている構成に比べて小さくでき、ねじり応力による負荷に強い構成とできる。
【００２３】
本発明の一態様に係る遊技機用のキーは、さらに、前記突出部は、前記キー本体の基部に、当該キーの幅方向を軸方向として挿通された別部材である構成とすることもできる。
【００２４】
上記構成によれば、突出部がキー本体の基部に挿通された別部材から構成されているので、突出部をキー本体と一体的に形成した構成に比べて、キー本体の製造に用いられる金属の引き抜き材や板材の利用率を向上させることができる。
【００２５】
本発明の一態様に係る遊技機用のキーは、さらに、前記キーヘッド部は、前記キーヘッド部は、前記キー本体の前記回転中心軸の方向に部分的に貫通する穴を有し、該穴は、前記キー挿入部が突設する側とは反対側に位置する第１穴部と、前記キー挿入部が突設する側に位置する第２穴部とからなり、前記第１穴部は、前記突出部が設けられた状態の前記キー本体を前記回転中心軸の方向より見た形状に相当する断面形状を有し、前記第２穴部は、前記突出部が設けられていない状態の前記キー本体を前記回転中心軸の方向より見た形状に相当する断面形状を有する構成とすることもできる。
【００２６】
上記構成によれば、キーヘッド部に形成された穴に、突出部が設けられた状態のキー本体を、第１穴部が有る側から挿入するだけで、突出部のキー挿入部側がキーヘッド部の内部の中実構造の壁部に突き当たった状態とすることができる。したがって、例えば、キーヘッド部を２部品構成とするよりも、製造工程を簡略化すると共に、キーヘッド部自体を１部品からなる堅固な構成とすることができる。
【００２７】
本発明の一態様に係る遊技機用のキーは、さらに、前記キー本体は、断面形状が十字状で、凸状部分が前記挿入ガイドとなる引き抜き材より作製されている構成とすることもできる。
【００２８】
上記構成によれば、断面形状が十字状で、凸状部分が前記挿入ガイドとなる引き抜き材よりキー本体を作製している。引き抜き材は加工精度が高いため、引き抜き材の凸状部を挿入ガイドとして利用することで、高精度なキーを実現できる。また、引き抜き材の凸状部分に固定ピンを設けることで、固定ピンで固定した際の、ねじり応力、引張応力および曲げ応力の負荷に対する耐性を上げることができる。
【発明の効果】
【００２９】
本発明の一態様によれば、持ち手として利用できる程に丈夫でありながら、製造工程を簡略化して効率良く製造できる遊技機用のキーを実現することができるといった効果を奏する。
【図面の簡単な説明】
【００３０】
【図１】本実施の形態に係る遊技機用のキーにて施錠開錠されるパチンコ台を示す斜視図であり、（ａ）は扉が閉じた状態、（ｂ）は扉が開いた状態、（ｃ）は扉と共に遊技盤が開いた状態を示す。
【図２】上記遊技機用のキーの構成を示す斜視図である。
【図３】上記遊技機用のキーの構成を示すもので、（ａ）は遊技機用のキーの平面図、（ｂ）は（ａ）のＡ−Ａ線矢視断面図、（ｃ）は（ａ）のＢ−Ｂ線矢視断面図である。
【図４】固定ピンがキー操作の回転中心軸上に配置されていない場合の負荷を説明する図である。
【図５】遊技機用のキーの分解斜視図である。
【図６】遊技機の開閉部を開閉する際にキーにかかる負荷を説明する図である。
【図７】特許文献２に記載されたキーを示す図である。
【発明を実施するための形態】
【００３１】
本発明の実施の一形態を、図面に基づいて以下に説明する。図１は、本実施の形態に係る遊技機用のキー１０にて施錠開錠されるパチンコ台（遊技機）１を示す斜視図である。（ａ）は扉２が閉じた状態、（ｂ）は扉２が開いた状態、（ｃ）は扉２と共に遊技盤７が開いた状態を示す。
【００３２】
図１の（ａ）〜（ｃ）に示すように、パチンコ台１では、遊技球が通過する遊技盤７、および該遊技盤７を覆うガラス板５を有する扉２が、枠部９に対して開閉自在に設けられている。つまり、扉２および遊技盤７が開閉部に相当する。扉２におけるガラス板５の下方には、遊技球を受ける受皿３、遊技球を発射させて遊技を行うハンドル４等が設けられている。
【００３３】
このような扉２および遊技盤７の開閉は、扉２に取り付けられた錠（図示せず）の鍵穴に挿入された遊技機用のキー１０を持ち手として行われる。錠は、キー１０にて施錠開錠され、キー１０を左あるいは右に回した後、キー１０を持ち手として手前に引くことで、図１の（ｂ）に示すように扉２を開くことができる。また、扉２を開くときとは異なる方向にキー１０を回した後、同様に手前に引くことで、図１の（ｃ）に示すように、扉２と遊技盤７とを一緒に開くことができる。扉２あるいは扉２と遊技盤７とを閉めるには、自重にて下がっている扉２あるいは扉２と遊技盤７とを、キー１０を持ち手として持ち上げながら枠部９に押し込む。その後、キー１０を右あるいは左に回して施錠する。
【００３４】
図２は、遊技機用のキー１０の構成を示す斜視図である。図３は、遊技機用のキー１０の構成を示すもので、（ａ）は遊技機用のキー１０の平面図、（ｂ）は（ａ）のＡ−Ａ線矢視断面図、（ｃ）は（ａ）のＢ−Ｂ線矢視断面図である。
【００３５】
図２および図３の（ａ）〜（ｃ）に示すように、キー１０は、キー本体１１と該キー本体１１に取り付けられたキーヘッド部１２とを備える。キーヘッド部１２は、キー本体１１の基部１１ａに取り付けられている。キーヘッド部１２は、合成樹脂からなる成形品であり、持ち手として操作しやすいように、キー１０の幅方向およびキー１０の厚さ方向において十分な幅および厚さを有している。キーヘッド部１２は、非発泡のソリッド（中実構造）の成形品であり、内部にキー本体１１における基部１１ａ側を収容する穴１２ａが形成されている。
【００３６】
キー本体１１は、基部１１ａと、鍵穴に挿入されるキー挿入部１１ｃを有する。本実施の形態では、基部１１ａはキー挿入部１１ｃに匹敵する充分な長さを有している。基部１１ａとキー挿入部１１ｃとの間には切込みが形成されており、基部１１ａ側の切込みの端面が、鍵穴に挿入された際のストッパー１１ｂとなっている。
【００３７】
キー挿入部１１ｃにおける中央には、キー挿入部１１ｃを鍵穴に挿入する際の基準となる凸状の挿入ガイドリブ（挿入ガイド）１１ｄが両面に設けられている。キー挿入部１１ｃにおける挿入ガイドリブ１１ｄを挟んだ両側には、挿入ガイドリブ１１ｄに向かって円錐状に窪む複数のコード溝を有するキーコード部１１ｅが形成されている。
【００３８】
挿入ガイドを凸状の挿入ガイドリブ１１ｄとすることで、特許文献２に記載されたキーのように溝状の挿入ガイドとした構成（図７参照）よりも、キー挿入部１１ｃの短手方向（回転中心軸と直交する方向）の断面積を広く確保して、曲げ応力による負荷に強い構成とできる。また、本実施の形態では、キー１０をリバーシブル構成とし、挿入ガイドリブ１１ｄを両面に設けているので、片面のみに設ける構成よりもより一層断面積を広く確保して曲げ応力による負荷に強い構成とできる。
【００３９】
さらに、本実施の形態では、キー本体１１を、挿入ガイドリブ１１ｄとして必要な大きさの凸部を有する十字状の棒状の引き抜き材を用いて作製している。そのため、挿入ガイドリブ１１ｄをなす凸部が、基部１１ａにも設けられており、凸部がキー本体１１の全長に及んで設けられている。これにより、キー本体１１が全体的に強くなり、後述する第１、第２の固定ピンで固定した際の、ねじり応力、引張応力および曲げ応力の負荷に対する耐性を上げることができる。なお、キー本体１１を板材より作製して、切削加工等で挿入ガイドリブ１１ｄを作製する場合は、基部１１ａに挿入ガイドリブ１１ｄと連なる凸部を形成する必要はなく、板材の厚みをそのまま利用すればよい。このようなキー本体１１の材料としては、例えば、洋白系合金などの強靱性および耐摩耗性に優れた金属が用いられる。
【００４０】
基部１１ａにおけるキーヘッド部１２に内包される部分には、キー１０の幅方向に突出する突出部が設けられている。本実施の形態では、キー１０の幅方向に突出するように掛止ピン１６が圧入されており、掛止ピン１６の基部１１ａより突出している部分（以下、突出部分）が突出部となっている。
【００４１】
キー本体１１とキーヘッド部１２とは、キーヘッド部１２の内部に、基部１１ａを内包した状態、具体的には、キーヘッド部１２の内部の穴１２ａに基部１１ａおよび掛止ピン１６の突出部分を収容した状態で、キー１０の厚さ方向を軸方向とする固定ピン１４，１５にて連結固定されている。そして、連結固定された状態で、掛止ピン１６の突出部分のキー挿入部１１ｃ側が、穴１２ａキーヘッドの壁に相当する、中実構造の壁部１２ｂに突き当たる構成としている。
【００４２】
このように、掛止ピン１６の突出部分を、キー挿入部１１ｃ側の壁部１２ｂに突き当てた構成とすることで、固定ピン１４，１５に加えて、壁部１２ｂが、キー１０を持ち手として扉２あるいは扉２と遊技盤７を引っ張る際の負荷（引張応力による負荷）を受けて耐える部分として働き、引張応力による負荷に強い構成とできる。
【００４３】
さらに、本実施の形態では、掛止ピン１６の突出部分は、キー挿入部１１ｃ側の壁部１２ｂに加えて、キー１０の厚さ方向の両側においても中実構造の壁部１２ｃ、１２ｄに突き当たる構成としている。これによれば、両側の壁部１２ｃ、１２ｄが、キー１０を回転操作させた際の負荷（ねじり応力による負荷）を受けて耐える部分として働き、ねじり応力による負荷にも強い構成とできる。
【００４４】
また、キー本体１１とキーヘッド部１２を連結固定する固定ピン１４，１５は、複数とすることで、連結を堅固にするだけでなく、キー本体１１がキーヘッド部１２に対してがたつくのを防止することができる。１本の固定ピンで連結した場合、固定ピンを中心にキー本体１１が回転して、キー本体１１がキーヘッド部１２に対してがたつく恐れがある。複数の固定ピン１４，１５を用いることで、このようなことを確実に回避することができる。但し、固定ピンの形状を断面三角形や断面四角形等の回転し難い形状としてもよい。
【００４５】
さらに、本実施の形態では、より好ましい構成として、固定ピン１４，１５を、キー１０の回転操作の回転中心軸上に設けている。これは、固定ピン１４，１５が受けるキー操作時の回転による負荷を小さくするためである。
【００４６】
図４は、固定ピン１４，１５が回転中心軸（一点鎖線にて示す）上に配置されていない場合の負荷を説明する図である。回転中心軸上から距離ｃだけ離れた位置にある固定ピン１４，１５は、τ＝Ｔｃ/Ｉｐ（τ：応力、Ｔ：トルク、ｃ：距離、Ｉｐ：断面２次極モーメント）の力を受ける。つまり、回転中心軸上に固定ピン１４，１５を配置した構成に比べて、距離ｃ分の負荷が増える。負荷が増えると、固定ピン１４，１５と当接しているキーヘッド部１２部分が変形し、固定ピン１４，１５が抜ける恐れがある。これに対し、本実施の形態のように、固定ピン１４，１５をキー操作の回転中心軸上に配置することで、固定ピン１４，１５の抜け落ちを防止して、耐久性を向上でききる。
【００４７】
図５は、遊技機用のキー１０の分解斜視図である。図５に示すように、本実施の形態においては、キー本体１１を、挿入ガイドリブ１１ｄとして必要な大きさの凸部を有する十字状の棒状の引き抜き材を用いて作製している。引き抜き材を必要な長さに加工した後に、前述したキーコード部１１ｅが形成される。凸部を有する引き抜き材を用い、凸部を挿入ガイドリブ１１ｄとして構成することで、キー本体１１を安定して精度よく製作することができる。
【００４８】
キー本体１１の基部１１ａには、掛止ピン１６、固定ピン１４，１５を圧入する位置に、予め挿通穴が開けられている。キーヘッド部１２にキー本体１１を挿入する前に、掛止ピン１６がキー１０の幅方向に突出するように圧入される。壁部１２ｂ、１２ｃ、１２ｃに突き当てる部分を、掛止ピン１６の基部１１ａより突出させて形成することで、突出部をキー本体と一体的に形成した構成に比べて、製造に用いられる金属の引き抜き材や板材の利用率を向上させることができる。掛止ピン１６としては、３０Ｋｇ程度の強度が必要で、Φ２の金属製で例えばＳＵＳ等の材料にて作成される。
【００４９】
キーヘッド部１２は、キー本体１１を挿入する穴１２ａが形成されている。穴１２ａは、キー本体１１の回転中心軸の方向に部分的に貫通している。穴１２ａは、キー挿入部１１ｃが突設される側とは反対側に位置する第１穴部と、キー挿入部１１ｃが突設される側に位置する第２穴部とからなる。第１穴部は、掛止ピン１６が突出した状態のキー本体１１を回転中心軸の方向より見た形状に相当する断面形状を有する。第２穴部は、掛止ピン１６が圧入されていない状態のキー本体１１を回転中心軸の方向より見た形状に相当する断面形状を有する。つまり、穴１２ａにおいては、掛止ピン１６が圧入されていない状態のキー本体１１を回転中心軸の方向より見た形状に相当する断面形状で貫通している。
【００５０】
これにより、第１穴部側より挿入したキー本体１１は、掛止ピン１６の突出部分が、第１穴部と第２穴部の断面形状の違いに相当する壁部１２ｂに突き当たってキーヘッド部１２内部で止まり、キー挿入部１１ｃ側が第２穴部より付き出る。この状態で、固定ピン１４，１５が、キーヘッド部１２側よりキー本体１１の基部１１ａに圧入される。なお、キーヘッド部１２にも、固定ピン１４，１５を圧入する位置に、予め挿通穴が開けられている。
【００５１】
キーヘッド部１２をこのような構成とすることで、キーヘッド部１２に形成された穴１２ａに、掛止ピン１６を圧入したキー本体１１を、第１穴部が有る側から挿入するだけで、掛止ピン１６の突出部分を壁部１２ｂに突き当たった状態とすることができる。したがって、例えば、キーヘッド部１２を２部品構成とするよりも、製造工程を簡略化すると共に、キーヘッド部自体を１部品からなる堅固な構成とすることができる。
【００５２】
上記構成を有する遊技機用のキー１０によれば、成形品からなるキーヘッド部１２をキー本体１１とは別に形成して組み立てることができるので、キーヘッド部１２を一定量まとめて生産することが可能となる。これにより、小ロット毎に行っていた成形機の準備工程が不要となり、製造工程を簡略化して、効率よく製造することができる。
【００５３】
また、組み立て式としても、キー本体１１とキーヘッド部１２とをキー１０の厚さ方向を軸方向とする固定ピン１４，１５で連結固定すると共に、キー本体１１の基部１１ａに掛止ピン１６による突出部を設け、該突出部のキー挿入部１１ｃ側をキーヘッド部１２の内部の中実構造の壁部１２ｂに突き当てている。このような構成とすることで、固定ピン１４，１５に加えて、壁部１２ｂが引張応力による負荷を受けて耐える部分として働き、引張応力による負荷に強い構成となる。これにより、持ち手として利用される遊技機用のキー１０として利用する丈夫さを確保できる。
【００５４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００５５】
１  パチンコ台
２  断面
３  受皿
４  ハンドル
５  ガラス板
７  遊技盤
９  枠部
１０  キー（遊技機用のキー）
１１  キー本体
１１ａ  基部
１１ｃ  キー挿入部
１１ｄ  挿入ガイドリブ（挿入ガイド）
１１ｅ  キーコード部
１２  キーヘッド部
１２ｂ、１２ｃ、１２ｄ  壁部
１４，１５  固定ピン
１６  掛止ピン（突出部）
【図１】
2018175479.tif 000003
【図２】
2018175479.tif 000004
【図３】
2018175479.tif 000005
【図４】
2018175479.tif 000006
【図５】
2018175479.tif 000007
【図６】
2018175479.tif 000008
【図７】
2018175479.tif 000009